(57)【要約】【課題】まったく同形状の操作ノブをレンズキャップ本体へと対向して組みこむ構造とした場合でもレンズ装置の取り付けネジ部へと取り付けることを可能にしたレンズキャップを提供すること。【解決手段】光軸中心に円板状のキャップ本体とキャップ本体の対向する二箇所へ嵌り、半径方向に摺動可能且つ外方へ付勢されている二つの同形状のキャップノブとで構成され、キャップノブに設けられた係止形状によりレンズ筺体前端部内周のネジ部に着脱自在に装着されるレンズキャップにおいて、二つのキャップノブは、円板状のキャップ本体の対向する二箇所に嵌った際、レンズ筺体前端部の内周ネジ部のネジピッチの半分の量だけ互いが光軸方向へずれていることを特徴とする構成とした。【選択図】図２
2016033556.tif 000002
【特許請求の範囲】
【請求項１】
光軸中心に円板状のキャップ本体と、
前記キャップ本体の対向する二箇所へ嵌り、半径方向に摺動可能且つ外方へ付勢されている二つの同形状のキャップノブと、
で構成され、前記キャップノブに設けられた係止形状によりレンズ筺体前端部内周のネジ部に着脱自在に装着されるレンズキャップにおいて、
前記二つのキャップノブは、円板状のキャップ本体の対向する二箇所に嵌った際、前記レンズ筺体前端部の内周ネジ部のネジピッチの半分の量だけ互いが光軸方向へずれていることを特徴とするレンズキャップ。
【請求項２】
キャップノブに設けられた係止形状とはレンズ筺体前端部内周のネジと同ピッチのネジ形状であることを特徴とする請求項１に記載のレンズキャップ。
【請求項３】
キャップノブに設けられた係止形状とはレンズ筺体前端部内周のネジと係合可能な凸形状であることを特徴とする請求項１に記載のレンズキャップ。
【発明の詳細な説明】
【技術分野】
【０００１】
本発明は、レンズ筐体に着脱されるレンズキャップに関し、特に組立工程時の誤組防止に関する。
【背景技術】
【０００２】
従来から、非撮影使用時のレンズ筺体を保護するためにレンズ筺体前端部に取り付けられるレンズキャップが知られている。このレンズキャップは円板状のキャップ本体に対してレンズ筺体前端部内周に設けられたネジに掛かるノブ部品が一対対向して設けられており、半径方向に付勢部材により付勢される構成となっている。
【０００３】
また一対のノブ部品は互いに半ピッチずれたネジが設けられている。そしてレンズ筺体内周に設けられたネジに係止されることでレンズキャップはレンズ筺体へと装着することができる。
【０００４】
このようにネジピッチが半ピッチ分だけずれた構成とすることでレンズ筺体前端部のネジ箇所にしっかりと係止される構成となっていた。
【０００５】
特許文献１では、ほぼ板状のキャップ本体の対向する二箇所に半径方向に摺動可能かつ半径方向に付勢されたキャップノブが組み込まれるレンズキャップにおいて内側に指掛け用突起を設けている。このような構成とすることでレンズフードが取り付けられたレンズに対しても容易かつ確実に着脱することが可能なレンズキャップが開示されている。また、特許文献２では特許文献１の案件を省みて対向する二つのキャップノブのキャップ本体に対する取り付け部形状を回転非対称とすることで対向したキャップノブの組み間違えを防止する案件が提案されている。
【先行技術文献】
【特許文献】
【０００６】
【特許文献１】実用新案登録第３００７６６８号公報
【特許文献２】特許第４１６１５８８号公報
【発明の概要】
【発明が解決しようとする課題】
【０００７】
しかしながら、上述の特許文献に開示された従来技術では、対向する二つのキャップノブはほぼ同形状にもかかわらず取り付けネジ部のみが異なっている。よって二種類のキャップノブが存在するので型コストがかかることとなり、また組み間違えの発生、組み間違え防止の構造が必要となり型構造の煩雑化などの問題が発生してしまう。
【０００８】
そこで、本発明の目的は、まったく同形状のキャップノブをキャップ本体へと対向して組みこむ構造とした場合でもレンズ筺体の取り付けネジ部へと取り付けることを可能にしたレンズキャップを提供することである。
【課題を解決するための手段】
【０００９】
上記目的を達成するために、本発明は、光軸中心に円板状のキャップ本体とキャップ本体の対向する二箇所へ嵌り、半径方向に摺動可能且つ外方へ付勢されている二つの同形状のキャップノブとで構成され、キャップノブに設けられた係止形状によりレンズ筺体前端部内周のネジ部に着脱自在に装着されるレンズキャップにおいて、二つのキャップノブは、円板状のキャップ本体の対向する二箇所に嵌った際、レンズ筺体前端部の内周ネジ部のネジピッチの半分の量だけ互いが光軸方向へずれていることを特徴とする。
【発明の効果】
【００１０】
本発明によれば、まったく同形状のキャップノブをキャップ本体へと対向して組みこむ構造とした場合でもレンズ筺体の取り付けネジ部へと確実に取り付けることを可能にしたレンズキャップを提供することができる。
【図面の簡単な説明】
【００１１】
【図１】本実施例の正面図
【図２】本実施例の背面図
【図３】本実施例のレンズ筺体への取り付けの図
【図４】本実施例の断面図
【図５】本実施例の要所拡大図
【発明を実施するための形態】
【００１２】
以下に、本発明の好ましい実施の形態を、添付の図面に基づいて詳細に説明する。図１は、本発明の実施形態にかかわるレンズキャップの正面図である。キャップ本体１に対向した位置に同形状のキャップノブ２が二つ嵌っている。図２は、本発明の実施形態にかかわるレンズキャップの背面図である。
【００１３】
キャップノブ２に設けられた嵌穴２０２にコイルバネ３が嵌っており、コイルバネ３はキャップ本体１に対してキャップノブ２を半径方向に付勢している。
【００１４】
また、キャップノブ２がコイルバネ３により付勢された際の突き当てとしてキャップ本体１、キャップノブ２にはそれぞれ係止部１０１、係止部２０１が設けられている。
【００１５】
図３はレンズ筺体４へ本実施例のレンズキャップを取り付けた図となっており、図４は本発明の実施形態にかかわるレンズキャップの断面図となっている。
【００１６】
キャップノブ２には螺旋状となった雄ネジ２０３が設けられている。この雄ネジ２０３がレンズ筺体４前端部に設けられた螺旋状の雌ネジ４０１に嵌ることで本実施例のレンズキャップはレンズ筺体へと傾くことなく確実に保持される構成となっている。本実施例では雄ネジ２０３のネジピッチはレンズ筺体４前端部の雌ネジ４０１のネジピッチと同じである。加えて、本実施例は雄ネジで説明するが、レンズ筺体の雌ネジに嵌る凸形状であってもかまわない。
【００１７】
また、本実施例ではレンズキャップの操作部側において、キャップノブ２よりもキャップ本体１のほうが突出する構成としている。このような構成とすることでレンズキャップ操作部側を下に置いた場合にレンズキャップがカタついてしまうことを防ぐことができている。
【００１８】
図５は図４のレンズキャップ断面図の本実施例要所拡大図となっている。図５では対向した二つの同形状のキャップノブ２を図上側をキャップノブ２ａ、図下側をキャップノブ２ｂとしている。破線Ａはキャップノブ２ａの嵌穴２０２の中心、一点斜線Ｂはキャップノブ２ｂの嵌穴２０２を示しており破線Ａと一点斜線Ｂはそれぞれレンズ筺体４の雌ネジ４０１のネジピッチの半分の量だけ互いにずれている。つまり、二つの同形状のキャップノブ２ａ、キャップノブ２ｂが雌ネジ４０１のネジピッチの半分の量だけ互いにずれているということである。よってキャップノブ２ａの雄ネジ２０３を仮想延長した場合、キャップノブ２ｂの雄ネジ部に合致する構成となっている。
【００１９】
また、本実施例ではレンズ本体１の面１０２はレンズ筺体４に取り付けられた際、レンズ筺体４の前端部に接する箇所となっている。キャップノブ２の面２０４はレンズ本体１に取り付けられた際にレンズ本体１の面１０２がレンズ筺体４の前端部に接することを阻害しないよう逃げた形状となっている。
【００２０】
以上のような構成を取ることで同形状のキャップノブ２をレンズ本体１に対向して組みこんだ場合でもレンズ筺体に設けられた雌ネジ部に確実に保持させることが可能となる。
【００２１】
以上、本発明の好ましい実施形態について説明したが、本発明はこれらの実施形態に限定されず、その要旨の範囲内で種々の変形及び変更が可能である。
【符号の説明】
【００２２】
１  キャップ本体、１０１  係止爪（レンズ本体）、２  キャップノブ、
２０１  係止め爪（キャップノブ）、２０２  嵌穴、２０３  雄ネジ、３  コイルバネ、
４  レンズ筺体、４０１  雌ネジ
【図１】
2016033556.tif 000003
【図２】
2016033556.tif 000004
【図３】
2016033556.tif 000005
【図４】
2016033556.tif 000006
【図５】
2016033556.tif 000007